(57)【要約】      （修正有）【課題】熱さ、冷たさからの遮断や、持ちやすさ、転倒の回避、水滴が生じ濡れて滑り易くなること、掴み易さ、集団内での個人の違いの見つけ易さへの配慮のある切り欠き型コップホルダーを提供する。【解決手段】水平面へ向けて垂直程度の方向を示す、上下の内空が同幅か上側の方が広い、側面部と底面部から成る柔軟な材質のカップの、前記側面部の上端から底面部近くまで切り欠きを有したことを特徴とする。【選択図】図１
2019150537.tif 000002
【特許請求の範囲】
【請求項１】
水平面へ向けて垂直程度の方向を示す、上下の内空が同幅か上側の方が広い、側面部と底面部から成る柔軟な材質のカップの、前記側面部の上端から底面部近くまで切り欠きを一箇所に有したことを特徴とする、切り欠き型コップホルダー。
【請求項２】
側面部の上端から底面部の近くまでスリットや切り込みを入れた、あるいは側面部の任意の上端箇所から底面部近くまで斜めにそぎ落としたことを特徴とする、請求項１記載の切り欠き型コップホルダー。
【請求項３】
シート体で成る扇形、長方形等の側辺部の左、右両端が重なり内空を形成し、前記、左、右両端が内空を狭くする方向に稼働可能な、あるいは前記左、右両端の下端箇所を固定し、離れ合った上端箇所側が近づき合うように可動可能な構造で成ることを特徴とする、切り欠き型コップホルダー。
【請求項４】
内側に挿入口を有する指キャップ箇所を、一端側の帯体的箇所に有する略鋭角三角形のシート体が、使用時に対象の容器の表面に添って曲がり、側面部の一部が欠損した形状で成型されることを特徴とする、切り欠き型コップホルダー。
【発明の詳細な説明】
【技術分野】
【０００１】  コップの表面周囲を包み保護し、且つコップを直接的に確実に握ることが出来る切り欠き型ホルダーに関する。
【背景技術】
【先行技術文献】
【０００２】
【特許文献１】特開２０００−２２９６７７
【特許文献２】特開２０１３−３９３４９
【特許文献３】特開２０１３−８１７２４
【０００３】
【発明の概要】
【発明が解決しようとする課題】
【０００４】  そのために次のような問題点があった。
熱さ冷たさからの遮断や持ちやすさに対して配慮不足であり、転倒への回避への配慮が不足していた。ガラスコップでは冷たい飲み物が入ると水滴が生じ濡れて滑り易くなり、立食パーティではナプキンで一つ一つ包んで用意されていた。コーヒーカップの取って部が掴みにくかった。集団内で個人分の違いを見つけにくかった。
・特開２０００−２２９６７７について述べると、エンボス加工の断熱層によって厚み    を増したので温度における解決は出来るが、転倒を防ぐストッパー機能を有さない。    コップを持つ場合に取って部を持つことになり、指先の不自由な者には不向きである    。
・特開２０１３−３９３４９について述べると、複数の紙層により熱さからの遮断は出    来ているが、指先に力のない者にとっては持ち易さの解決は出来ていない。転倒を防    ぐストッパーにはならない。
・特開２０１３−８１７２４について述べると、指先に力のない者にとっては持ち易さ    の解決は出来ていない。転倒を防ぐためストッパーにはならない。
【発明を解決するための手段】
【０００５】  水平面へ向けて垂直程度の方向を示す、上下の内空が同幅か上側の方が広い、側面部と底面部から成る柔軟な材質のカップの、前記側面部の上端から底面部近くまで切り欠きを有したことを特徴とする。
【発明の効果】
【０００６】イ）  握った力が直接、中のコップに伝わり、握る力が完全に活用できるようになった。
ロ）  子供や手の不自由な人にも使いやすくなった。
ハ）  ストッパー機能もあり、コップは転倒しにくくなった。
ニ）  軽く掴む必要のある紙コップに対して、コントロールしにくい使用者が比較的強く      握っても、凹んで中の熱い飲み物を押し出すことがなくなった。
ホ）  強く持たなければならないガラスのコップに対して、強く握ってもコップを傷つけ      ることなく安全に掴むことが出来るようになった。
ヘ）  持ちにくい取って部は除かれた。
ト）  持ちにくい湯飲み茶わんが持ち易くなった。
チ）  カラーの違いがつけられ、使用中の自他の区別が出来るようになった。
【図面の簡単な説明】
【０００７】
【図１】第一形態の斜視図と側面図である。
【図２】第一形態の斜視図である。
【図３】第二形態の展開図と斜視図である。
【図４】第三形態の斜視図である。
【図５】第三形態の使用図である。
【発明を実施するための形態】
【実施例１】
【０００８】  以下、本発明の実施の形態を説明する。先ず概略を説明をする。
飲み物を入れるものをコップと称し、本願をカップと称して区別する。
主に熱さ冷たさの遮断用とし、握り易さを可能にする構造にする。完全なカップにコップを入れる場合、大きさが合わなければ、しっかりカップを握ってもコップは中で振動する状態になるが、側面部の一部に切り欠きを設けることで、カップを握れば、実際より狭い内空になり、中のコップに力が直接伝わり、効果的に握れて落下防止用となる。挿入するコップより底面部を広めにすれば転倒防止用となり、フリーサイズ的に作成できる。
材質として多種存在し、パルプ、シリコン、ゴム、和紙などの紙類や布や合成生地等のシート類が考えられる。これらの柔軟な材質ではあるが、張りを有する範囲とする。硬質の場合は特記する。ガラスコップを対象にする場合はカップの内側に吸水機能を有する方が望ましい。紙コップやガラスコップ、陶器等の水分用容器が対象である。様々な彩色は可能である。
使い方については、形状や機能の説明内に記載するので、特別な場合以外は省略する。【０００９】  図１、図２を用いて、第一形態のスリット、切り込み、側面部をそぎ落とした形状の切り欠きの設け方を説明する。
図１ａは側面部（１）と底面部（７）から成るカップの、上端箇所（３）の始点の二点（２、４）から、側面部を斜めにそぎ落とした場合の斜視図である。切り口の形状を側面部削除ライン（５）とする。終点箇所（６）は底面部寸前位置とする。
ｂはそぎ落とす側を正面側とすると、当図は左側面図で、上端箇所の始点の二点とカップの側面部の中心線（８）位置との関係を示す。上端箇所の周囲の半分以上を残し、終点箇所まで斜めに切断する。側面部削除ラインは対象的にあるいは同じ動き等で下りながら、次第に狭まる。直線や緩やかなカーブを描き、邪魔にならない程度の突起や模様体等を有してもかまわない。
ｃは使用斜視図で、中にコップ（９）を挿入した場合である。
図２ａは図１の使用図で、カップを握ることによって、側面部削除ラインの両ラインが動き、内空がコップの太さまで近づいた状態を示している。下端にしわ寄せが生じるので、圧力を逃がすための凹み（１０）を設ける。
ｂは側面部削除ラインの左右が同じようにカーブして下る例である。
ｃはスリット（１１）、ｄは切り込み（１２）を入れた場合で、側面部削除ラインの二本の左右が握った時にぶつからないように、スリットでは幅広く開け、切り込みの場合は互いの位置の径を変えてずらして設ける方が良い。【００１０】  図３を用いて、第二形態の、握る時に、側面部削除ライン（５）の左右が衝突しないように、側辺部（１３）を平面状に重ねて設ける場合を説明する。可動の度合いにより、底面部（７）の有無は選択となる。あるいは一部を側面部（１）に固定しないで離して設ける。
ａはそぎ落とす前の筒体の展開図の一例である。側辺部に接合箇所（１４）を設け、ここを粘着テープ等にした。網目箇所は削除する部分である。
ｂは下端を接合した斜視図である。側辺部の下端（１７）の両端を平面状に重ね合わせて重複箇所（１６）を設ける。粘着テープの位置に回転可能な螺子（１５）等の留め具を用いても良い。
ｃは斜視図で、底面部より側辺部の下端側を離して設けた使用状態である。重複箇所は中間位置にある。この形状を保つためには硬質が望ましい。
使い方は、握るとｂでは側面部削除ラインの上側が近づき、ｃでは全体が近づく。【００１１】  図４、図５を用いて、第三形態の使用時に成型される場合を説明する。
図４ａは成型前のシート体（１８）の概略斜視図である。親指（２５）と人差し指（２６）の指先位置が異なった高さにくることを考慮して成型する。図面上の直線の破線は帯体的箇所（１９）の、二本の指の間の引っ張り合う力の及ぶ範囲を示し、当箇所が独立しているとは限らない。二本の指で固定し、ハンモック的に使用する。
シート体は角部をなめらかにした略鋭角三角形で、一端側より破線位置までの帯体的箇所の両端に、先端側を閉じるか開けた形状の指キャップ箇所（２０）を筒状で設ける。挿入口（２１）を向かい合わせに有する。指キャップを設ける側を表側とすると、当図では鋭角三角形の頂点位置の右下側が親指挿入箇所（２２）、反対側が人差し指挿入箇所（２３）となる。図面での裏側が、図５で説明する湯飲み茶わん（２４）やコップ（９）に直接触れる側となる。円状の破線は底面部（７）の裏側を示す。材質は、対象容器に密着し易いが伸縮性の少ない材質が良く、これにより指キャップ箇所間でより引っ張り感が生じる。
ｂはａを成型して固定した一例の斜視図で、既存のカップを、斜めにそぎ落とした大きい側とも表現できる。自然な指位置を守るため、上端側の左右に少し斜めに指キャップ箇所を有する。元のカップを歪型と捉える。
ｃは正面図で、指先位置が異なる高さに来ることから、第一形態の場合の上端が必ずしも、同じ高さとは限らないことを示した。【００１２】  図５は使用斜視図でａ、ｂそれぞれ、手を添えない、添えるの二つの作図で説明する。
升内図ａでは、シート体（１８）の、指キャップ箇所（２０）に親指（２５）と人差し指（２６）を差し込む。親指で湯飲み茶わん（２４）の上縁を抑え、当図の背面側にある帯体的箇所（１９）を湯飲み茶わんの胴体に巻きつけ、親指以外の指や掌辺りで湯飲み茶わんの底を支える。右の手を左の手の届かない箇所に添えればより安全である。
升内図ｂの長めの湯飲み茶わん又はコップ（９）の場合、図では背面側にある帯体的箇所をコップの胴体にまわし全体を掴む。飲み口箇所（２７）については、コップの表面に本願が添わない箇所があって、確保できる。
【符号の説明】
【００１３】  １    側面部                ２    始点の二点        ３    上端箇所
４    始点の二点            ５    側面部削除ライン  ６    終点箇所
７    底面部                ８    中心線            ９    コップ
１０  凹み                  １１  スリット          １２  切り込み
１３  側辺部                １４  接合箇所          １５  螺子
１６  重複箇所              １７  下端              １８  シート体
１９  帯体的箇所            ２０  指キャップ箇所    ２１  挿入口
２２  親指挿入箇所          ２３  人差し指挿入箇所  ２４  湯飲み茶わん
２５  親指                  ２６  人差し指          ２７  飲み口箇所
【図１】
2019150537.tif 000003
【図２】
2019150537.tif 000004
【図３】
2019150537.tif 000005
【図４】
2019150537.tif 000006
【図５】
2019150537.tif 000007
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
底面部と前記底面部の周囲を一周する水平な上端縁を有する側面部から成るカップ体があり、前記上端縁の任意の箇所より前記上端縁の半分以上を残して、下端に向け前記底面部の近くまで、スリットや切り込み、そぎ落とし等で、前記側面部が左右に分離して二箇所の側端辺箇所を有した、切り欠き箇所を設けることを特徴とする、切り欠き型コップホルダー。
【請求項２】
分離して生じた二箇所の側端辺箇所間の空間の最下端のラインを曲線形状に成形した、請求項１記載の切り欠き型コップホルダー。
【請求項３】
帯状の扇形か長方形のシート体の左、右の側端辺の下端箇所を重ねて一点で留め、離れている側端辺の二か所の上端辺側が互いに近づき合うことが可能な構造であることを特徴とする、切り欠き型コップホルダー。
【請求項４】
帯状の扇形か長方形のシート体の、同じ面の両端箇所に接合機能を有し、前記両端箇所は接合機能箇所を内側に向けて互いに内外で重なり合う位置にある時、外側となる面は内側となる面に対し、内側となる面は内在する他具に対し接合することが可能な構造であることを特徴とする、切り欠きコップホルダー。
【請求項５】
カップ体の内側の壁面に、吸水性を有する材質物やクッション性を有する材質物等を設けたことを特徴とする、請求項１、２、３、４記載の切り欠き型コップホルダー。
【請求項６】
略鋭角三角形のシート体があり、鋭角を形成する一辺側に添って一箇所又は二箇所に指キャップ箇所を端側に有し、前記指キャップ箇所は少なくとも内側に挿入口を有し、使用時に前記シート体が前記指キャップ箇所に指を内側から挿入して曲面を有する対象物を指と共に掌で包む持ち方をすることで、前記シート体は対象物の曲面に添って曲がり、かつ前記シート体は側面側の一部が欠損した形状で立体的に成型されることを特徴とする、切り欠き型コップホルダー。
【手続補正２】
【補正対象書類名】明細書
【補正対象項目名】０００１
【補正方法】変更
【補正の内容】
【０００１】  コップの周囲を包み保護しながら、ホルダーがコップに柔軟に添い密着することによって、コップを直截的に確実に握ることが出来る、切り欠き型ホルダーに関する。
【手続補正３】
【補正対象書類名】明細書
【補正対象項目名】０００５
【補正方法】変更
【補正の内容】
【０００５】  底面部と前記底面部の周囲を一周する水平な上端縁を有する側面部から成るカップ体があり、前記上端縁の任意の箇所より前記上端縁の半分以上を残して、下端に向け前記底面部の近くまで、スリットや切り込み、そぎ落とし等で、前記側面部が左右に分離して二箇所の側端辺箇所を有した、切り欠き箇所を設けることを特徴とする。